(57)【特許請求の範囲】
【請求項１】
精米機への玄米を溜める玄米タンク内に残っている玄米の残量を確認するコイン式精米設備の玄米タンク残量確認装置であって、玄米タンクの客室寄り面に設けられて透明板が取付けられたタンク側窓部と、客室と機械室とを区切る仕切壁に穿設された残量確認窓と、機械室において残量確認窓とタンク側窓部との間に設けられた視認用通路とを備え、視認用通路が玄米タンクの中心線よりも左または右に偏った位置に配置され、視認用通路の玄米タンク側開口部の中心線が視認用通路の客室側開口部である残量確認窓の中心線よりも左または右に偏った位置になるように視認用通路が傾斜して形成されたコイン式精米設備の玄米タンク残量確認装置。
【請求項２】
視認用通路内に残量確認用透明板が傾斜姿勢で取付けられた請求項１記載のコイン式精米設備の玄米タンク残量確認装置。
【請求項３】
残量確認窓が仕切壁に穿設され、視認用通路が、仕切壁に固定された客室寄り視認用通路と玄米タンクに固定されたタンク寄り視認用通路とに分割されて設けられ、客室寄り視認用通路の奥端辺が傾斜して形成され、この奥端辺に残量確認用透明板が取付けられた請求項１または２に記載のコイン式精米設備の玄米タンク残量確認装置。
【請求項４】
残量確認窓が、仕切壁に開閉自在に取付けられた扉体に穿設され、視認用通路が、扉体に固定された客室寄り視認用通路と玄米タンクに固定されたタンク寄り視認用通路とに分割されて設けられた請求項３記載のコイン式精米設備の玄米タンク残量確認装置。
【請求項５】
精米機は縦型とされ、精米済み白米排出口がその下端部から下方の客室内白米排出箇所に向いた姿勢で配置され、機械室における仕切壁に沿う位置に設けられた請求項１〜４の何れかに記載のコイン式精米設備の玄米タンク残量確認装置。
【発明の詳細な説明】
【０００１】
【発明の属する技術分野】
本発明は、コイン式精米設備において玄米タンク内に残っている玄米の残量を確認するための玄米タンク残量確認装置に関するものである。
【０００２】
【従来の技術】
コインや紙幣などの各種貨幣を投入することにより自動的に精米作業を行ういわゆるコイン式精米設備は知られている。このようなコイン式精米設備においては、図６に示すように、その内部が仕切壁３により、利用客が自由に出入りできる客室１と、係員などが出入り可能な機械室２とに区切られており、機械室２に、精米機２３や石抜機（図示せず）などが配設されている。また、機械室２における精米機２３の略上方箇所に、精米機２３へ供給する玄米を溜める玄米タンク２４が配置されている。従来の精米機２３としては横型のものが採用されており、仕切壁３に沿うように左右に配置すると、制御盤（図示せず）などに干渉することとなるため、コイン式精米設備の前後方向に沿うように配置されている。
【０００３】
コイン式精米設備においては、玄米タンク２４から精米機２３へ玄米が良好に送られて、玄米タンク２４内の玄米がなくなるまで精米されていることを利用客が客室１側から見て確認するために、図７、図８に示すように、玄米タンク２４の一部にタンク側窓部２５を設け、このタンク側窓部２５を通して客室１側から見ることができるようになったものがあり、タンク側窓部２５には透明板２６が取り付けられている。また、客室１と機械室２とを区切る仕切壁３にも残量確認窓２７が設けられているとともに、この残量確認窓２７からタンク側窓部２５に向かって延びる視認用通路２８も形成されている。この視認用通路２８は、玄米タンク２４内が良好に見えるようにこれらの中心線Ｇが一致する姿勢で配置されている。なお、図６における１６は糠排出用の送風機、２１は白米ホッパ、２２は糠回収袋である。
【０００４】
このように視認用通路２８が設けられていると、視認用通路２８を通して盗難などの目的から客室１側より機械室２内へ手を突っ込むことも可能となるため、このようなことを防止すべく、残量確認窓２７にも透明板２９が取付けられており、この透明板２９は仕切壁３に沿うように配設されている。なお、図８における２８ａは視認用通路２８の奥端部に形成された開口部である。
【０００５】
しかし、上記したように従来のコイン式精米設備では、横型の精米機２３を採用しているため、横型の精米機２３を配置するために前後方向に対して大きな設置スペースを必要とし、精米機２３からの白米の排出方向が前方向となるため、さらに前後方向に精米済み白米を排出する排出経路のスペースが必要となるという問題があった。
【０００６】
この問題に対処するものとして、図９に示すように、精米機４として縦型のものを採用し、精米機４の白米排出口４ａをその下端部から白米ホッパ２１に向く姿勢で配置し、機械室２における仕切壁３に沿う位置に設けたものが提案されている。なお、図９における、１４は駆動モータからの回転駆動力を精米ロールなどの精米機機本体部分へ伝達するための駆動力伝達部、１５は回転駆動力伝達用プーリなどを覆う伝達部カバー、２２は糠回収袋である。
【０００７】
この種の縦型の精米機４を採用すると、横形の精米機２３を仕切壁３に対して直交する前後方向に沿う方向に配置した場合と比較して、前後方向に必要なスペースを少なくことができるので、コイン式精米設備として、省スペース化を図ることができる利点がある。また、横型の精米機２３を前後方向に配置した場合には、精米機からの排出方向が前方向となるため、さらに前後方向に精米済み白米を排出するスペースが必要であるが、縦型の精米機４を採用することで、精米機４の下方が白米の排出スペースとなり、この点でも省スペース化を図れる。また、糠排出用の送風機１６を精米機４の直ぐ後方に配置できるため、排気効率も良好となる。
【０００８】
【発明が解決しようとする課題】
このような縦型の精米機４を採用したコイン式精米設備においても、玄米タンク５での玄米の流れ状態をみるために、図１０〜図１２に示すように、玄米タンク５の一部にタンク側窓部６を設け、このタンク側窓部６を通して客室１側から見ることができるように構成し、タンク側窓部６には透明板７を取り付け、客室１と機械室２とを区切る仕切壁３にも残量確認窓８を設け、この残量確認窓８からタンク側窓部６に向かって延びる視認用通路９を形成することが考えられる。また、この視認用通路９から玄米タンク５内が良好に見えるようにこれらの中心線Ｇが一致するように配置し、視認用通路９を通しての盗難を防止すべく、残量確認窓８にも、仕切壁３に沿うように透明板１０を取付ける。なお、図１２における９ａは視認用通路９の奥端部に形成された開口部である。
【０００９】
このように、玄米タンク５の中心線Ｇと視認用通路９の中心線Ｇとが一致するように配置した場合でも、図１１、図１２に示すように、玄米タンク５の横幅を十分に拡張すると、玄米タンク５から精米機４へ玄米が良好に流れることとなる。しかしながら、実際には、玄米タンク５の近傍には制御装置や昇降装置などの各種装置が配設されるため、玄米タンク５の幅は所定寸法以下に制限される。したがって、このように、玄米タンク５の幅が所定寸法以下に制限されている状態で、玄米タンク５の中心線Ｇと視認用通路９の中心線Ｇとが一致するように配置すると、図１３、図１４に示すように、玄米タンク５が精米機４に対して偏って（図１３、図１４においては玄米タンク５が精米機４に対して左側に偏って）配置せざるを得ず、その結果、玄米タンク５から精米機４への玄米の流れが不安定となったり、玄米タンク５がいびつな形状となって製造コストの増加を招いたりしていた。
【００１０】
本発明は上記課題を解決するもので、玄米タンクから精米機への玄米の流れが不安定となったり、製造コストの増加を招いたりすることのないコイン式精米設備の玄米タンク残量確認装置を提供することを目的とするものである。
【００１１】
【課題を解決するための手段】
上記課題を解決するために、請求項１記載の発明は、精米機への玄米を溜める玄米タンク内に残っている玄米の残量を確認するコイン式精米設備の玄米タンク残量確認装置であって、玄米タンクの客室寄り面に設けられて透明板が取付けられたタンク側窓部と、客室と機械室とを区切る仕切壁に穿設された残量確認窓と、機械室において残量確認窓とタンク側窓部との間に設けられた視認用通路とを備え、視認用通路が玄米タンクの中心線よりも左または右に偏った位置に配置され、視認用通路の玄米タンク側開口部の中心線が視認用通路の客室側開口部である残量確認窓の中心線よりも左または右に偏った位置になるように視認用通路が傾斜して形成されたことを特徴とする。
【００１２】
このように、視認用通路を玄米タンクの中心線よりも左または右に偏った位置に配置することで、精米機の中心線と玄米タンクの中心線とが一致するように配置できるため、玄米タンクを左右対象な形状とできて、玄米タンクから精米機への流れを良好にすることができ、かつ製造コストを安価に済ませることができる。
【００１３】
請求項２記載の発明は、請求項１記載のコイン式精米設備の玄米タンク残量確認装置において、残量確認用透明板が視認用通路内に傾斜姿勢で取付けられたことを特徴とする。
請求項１に記載のように、視認用通路を玄米タンクの中心線よりも左または右に偏った位置に配置し、視認用通路の玄米タンク側開口部の中心線が視認用通路の客室側開口部である残量確認窓の中心線よりも左または右に偏った位置になるように視認用通路を傾斜して形成すると、視認用通路を通して玄米タンクを斜め方向から覗き込むこととなるため、玄米タンクの中心線と視認用通路の中心線とが一致するように配置した場合と比較して、玄米タンク内が見え難くなる傾向がある。また、一般に客室は利用客に対して利用し易くするために、入口の扉を透明にしたり、照明設備を設けたりしており、これに対して機械室内は通常無人であるため、客室が機械室がよりも明るい環境となっている。このような状態で、利用客が残量確認窓から覗き込んだ際、客室側の光が残量確認窓の透明板に反射して利用者の視野に入り、その結果、残量確認が行い難くなるおそれがある。これに対処すべく、請求項２に記載のように、残量確認用透明板を視認用通路内に傾斜姿勢で取付けることで、利用客が残量確認窓から覗き込んだ際、客室側の光が残量確認窓の透明板に反射することが少なくなるとともに、その反射光が利用者の視野に入ることが防止され、残量確認を良好に行うことができる。
【００１４】
請求項３記載の発明は、請求項１または２に記載のコイン式精米設備の玄米タンク残量確認装置において、残量確認窓が仕切壁に穿設され、視認用通路が、仕切壁に固定された客室寄り視認用通路と玄米タンクに固定されたタンク寄り視認用通路とに分割されて設けられ、客室寄り視認用通路の奥端辺が傾斜して形成され、この奥端辺に残量確認用透明板が取付けられたことを特徴とする。
【００１５】
この構成により、視認用通路の奥端辺に残量確認用透明板を取付けるだけの簡単な作業で残量確認用透明板を傾斜姿勢で取付けることができる。
請求項４記載の発明は、請求項３記載のコイン式精米設備の玄米タンク残量確認装置において、残量確認窓が、仕切壁に開閉自在に取付けられた扉体に穿設され、視認用通路が、扉体に固定された客室寄り視認用通路と玄米タンクに固定されたタンク寄り視認用通路とに分割されて設けられたことを特徴とする。
【００１６】
請求項５記載の発明は、請求項１〜４の何れかに記載のコイン式精米設備の玄米タンク残量確認装置において、精米機は縦型とされ、精米済み白米排出口がその下端部から下方の客室内白米排出箇所に向いた姿勢で配置され、機械室における仕切壁に沿う位置に設けられたことを特徴とする。
この構成によれば、横型の精米機を採用した場合に比べて、横幅や前後方向へのスペースをとらず、省スペース化を図ることができ、また、糠排出用の送風機を精米機４の直ぐ後方に配置できるため、排気効率も良好となる利点がある一方、精米機に駆動モータからの駆動力を伝達する駆動力伝達部を精米機の真上に配置せざるを得ないため、この駆動力伝達部に干渉しないように玄米タンクを後方にずらして配置し、そのため、視認用通路の長さも長くなり、従来構成によれば、さらに、玄米タンク内が見え難くなる傾向がある。しかし、上記請求項２〜４の構成を採用することで、このような事柄も改善される。
【００１７】
【発明の実施の形態】
以下、本発明の実施の形態について、図面に基き説明する。なお、従来のコイン式精米設備の玄米タンク残量確認装置の構成部品とほぼ同様な機能のものには同じ符号を付して、その説明は省略する。
図１〜図５に示すように、このコイン式精米設備の玄米タンク残量確認装置には、精米機４への玄米を溜める玄米タンク５の客室寄り面に設けられて透明板７が取付けられたタンク側窓部６と、客室１と機械室２とを区切る仕切壁３に開閉自在に取付けられたメンテナンス用扉体１１に穿設された残量確認窓８と、機械室２において残量確認窓８からタンク側窓部６に向かって奥ほどすぼまるように延設された視認用通路１２と、視認用通路１２内に取付けられたアクリル板などからなる残量確認用透明板１３とを備えている。そして、視認用通路１２が玄米タンク５の中心線Ｇ１よりも左側に偏った位置に配置されているとともに、視認用通路１２の玄米タンク側開口部１２ｃの中心線Ｇ３が視認用通路１２の客室側開口部である残量確認窓８の中心線Ｇ４よりも左または右に偏った位置になるように視認用通路１２が平面視して傾斜した形状に形成されている。また、残量確認用透明板１３は視認用通路１２内に傾斜姿勢で取付けられている。
【００１８】
視認用通路１２は、メンテナンス用扉体１１に固定された客室寄り視認用通路１２ａと、玄米タンク５に固定されたタンク寄り視認用通路１２ｂとに分割されて設けられ、客室寄り視認用通路１２ａの奥端辺が傾斜して形成され、この奥端辺に残量確認用透明板１３がビスなどにより固定されている。一方、タンク寄り視認用通路１２ｂは駆動力伝達部１４や伝達部カバー１５にビスなどで固定されている。
【００１９】
また、精米機４は縦型のものがメンテナンス用扉体１１のすぐ後方位置に配置され、精米機４の後方には、精米機本体から糠を吸引して排出するための糠用送風機１６などが配設されている。なお、１７は玄米タンク５内の玄米を精米機本体へ送る供給用スクリュ装置である。
上記構成によれば、視認用通路１２を玄米タンクの中心線Ｇ１よりも左側に偏った位置に配置することで、精米機４の中心線Ｇ２と玄米タンク５の中心線Ｇ１とが一致するように配置できるため、玄米タンク５を左右対象な形状とできて、玄米タンク５から精米機４への玄米の流れが安定して良好となり、かつ玄米タンク５の製造コストを安価に済ませることができる。
【００２０】
また、コイン式精米設備にて精米作業を行わせている際に、利用者は残量確認窓８から視認用通路１２およびタンク側窓部６を通して、玄米タンク６の残量確認を斜め方向に見ることで行うことができる。この場合に、残量確認用透明板１３が視認用通路１２内に傾斜姿勢で取付けられているため、利用客が残量確認窓８から覗き込んだ際、客室１側の光が残量確認窓８の残量確認用透明板１３に反射することが少なくなるとともに、その反射光が利用者の視野に入ることが防止される。この結果、残量確認を良好に行うことができる。また、残量確認用透明板１３により視認用通路１２を通して客室１側より手を突っ込むことも防止できる。
【００２１】
さらに、視認用通路１２が客室寄り視認用通路１２ａとタンク寄り視認用通路１２ｂとに分割されて設けられ、傾斜して形成された客室寄り視認用通路１２ｂの奥端辺に残量確認用透明板１３を取付けるように構成したため、簡単な作業で残量確認用透明板１３を傾斜姿勢で安定して取付けることができる。
また、メンテナンス用扉体１１を開けることにより縦型の精米機４に対してのメンテナンスを容易かつ良好に行うことができ、しかも、視認用通路１２が客室寄り視認用通路１２ａとタンク寄り視認用通路１２ｂとに分割されて設けられているため、視認用通路１２全体をメンテナンス用扉体１１または玄米タンク６寄り箇所に固定した場合と比較して、メンテナンス用扉体１１を開ける際や、縦型の精米機４に対してメンテナンスを行う際などに、視認用通路１２が邪魔になったりすることなく、作業性が良好となる。
【００２２】
なお、上記の実施の形態においては、精米機４として縦型のものを採用し、精米機４の白米排出口４ａがその下端部から白米ホッパ２１に向く姿勢で配置され、機械室２における仕切壁３に沿う位置に設けられたコイン式精米設備の場合を図示しており、これによれば、横型の精米機を採用した場合に比べて、横幅や前後方向へのスペースをとらず、省スペース化を図ることができ、また、糠排出用の送風機１６を精米機４の直ぐ後方に配置できるため、排気効率も良好となる利点がある。しかしながら、これに限るものではなく、横形の精米機を採用しているコイン式精米設備に対しても同様の構成を採用することができ、この場合には、縦型の精米機の配置スペースに対応する箇所を他の用途の装置などを配置することが可能となる。
【００２３】
【発明の効果】
以上のように本発明によれば、視認用通路を玄米タンクの中心線よりも左または右に偏った位置に配置することで、精米機の中心線と玄米タンクの中心線とが一致するように配置できるため、玄米タンクを左右対象な形状とできて、玄米タンクから精米機への流れを良好にすることができ、かつ製造コストを安価に済ませることができる。
【００２４】
また、玄米タンク内の玄米の残り量を確認するための視認用通路内に残量確認用透明板を傾斜姿勢で取付けたことにより、残量確認用透明板により視認用通路を通して客室側より手を突っ込むことを防止できながら、利用客が残量確認窓から斜め方向に覗き込んだ際に、客室側の光が残量確認窓の透明板に反射して利用者の視野に入ることが防止され、この結果、残量確認を良好に行うことができる。
【００２５】
また、視認用通路を、仕切壁に固定された客室寄り視認用通路と玄米タンクに固定されたタンク寄り視認用通路とに分割して設け、客室寄り視認用通路の奥端辺を傾斜して形成し、この奥端辺に残量確認用透明板を取付けることで、簡単な作業で残量確認用透明板を傾斜姿勢で取付けることができ、組付け時の作業性が良好となる。また、残量確認窓を、仕切壁に開閉自在に取付けられた扉体に穿設し、視認用通路を、扉体に固定された客室寄り視認用通路と玄米タンクに固定されたタンク寄り視認用通路とに分割させて設けることで、扉体を開けることで精米機に対して容易にメンテナンス作業を行うことができ、しかも、視認用通路が邪魔になることを防止できるため、メンテナンス作業時などに作業性が良好となる。
【図面の簡単な説明】
【図１】本発明の実施の形態にかかるコイン式精米設備の玄米タンク残量確認装置の正面図である。
【図２】同コイン式精米設備の概略的な側面断面図である。
【図３】同コイン式精米設備の玄米タンク残量確認装置の側面図である。
【図４】同玄米タンク残量確認装置の平面図である。
【図５】同玄米タンク残量確認装置の残量確認窓から見た概略的な斜視図である。
【図６】従来のコイン式精米設備の概略的な側面断面図である。
【図７】同従来のコイン式精米設備の玄米タンク残量確認装置の側面図である。
【図８】同従来の玄米タンク残量確認装置の正面図である。
【図９】その他の従来のコイン式精米設備の概略的な側面断面図である。
【図１０】同従来のコイン式精米設備の玄米タンク残量確認装置の側面図である。
【図１１】同従来の玄米タンク残量確認装置の平面図である。
【図１２】同従来の玄米タンク残量確認装置の正面図である。
【図１３】さらに他の従来の玄米タンク残量確認装置の平面図である。
【図１４】同従来の玄米タンク残量確認装置の正面図である。
【符号の説明】
１        客室
２        機械室
３        仕切壁
４        精米機
５        玄米タンク
６        タンク側窓部
８        残量確認窓
１１      メンテナンス用扉体
１２      視認用通路
１２ａ    客室寄り視認用通路
１２ｂ    タンク寄り視認用通路
１３      残量確認用透明板
【図１】
0004115059.tif 000002
【図２】
0004115059.tif 000003
【図３】
0004115059.tif 000004
【図４】
0004115059.tif 000005
【図５】
0004115059.tif 000006
【図６】
0004115059.tif 000007
【図７】
0004115059.tif 000008
【図８】
0004115059.tif 000009
【図９】
0004115059.tif 000010
【図１０】
0004115059.tif 000011
【図１１】
0004115059.tif 000012
【図１２】
0004115059.tif 000013
【図１３】
0004115059.tif 000014
【図１４】
0004115059.tif 000015